(57)【特許請求の範囲】
【請求項１】
広告コンテンツ（ＡＤコンテンツ）を著作権管理（ＤＲＭ）コンテンツに添付して一つのコンテンツを生成し、該ＤＲＭコンテンツを再生しようとするＤＲＭ装置に提供し、該ＤＲＭ装置において前記ＡＤコンテンツが再生された際には前記ＤＲＭ装置に料金を請求しない著作権管理コンテンツの権利を管理するコンテンツ権利管理装置であって、
前記ＤＲＭ装置から受信した該ＤＲＭ装置のＩＤを含む認証情報及び前記ＤＲＭコンテンツのＩＤ、前記ＡＤコンテンツの使用回数、及び前記ＤＲＭコンテンツの権利使用方法による権利使用状態を含む許可情報に基づいて前記ＤＲＭ装置が正当な装置であるか否かを認証すると共に、前記ＤＲＭコンテンツの権利が有効であるか否かを判定した後、前記ＤＲＭ装置における前記ＤＲＭコンテンツの再生許可又は再生拒否の判定を可能にする応答メッセージを前記ＤＲＭ装置に送信するＡＤコンテンツ管理サーバを備えたことを特徴とするコンテンツ権利管理装置。
【請求項２】
前記一つのコンテンツは、ＡＤコンテンツの添付を示すＡＤコンテンツビューヘッダ、ＡＤコンテンツ、及びＤＲＭコンテンツを利用して作成したマルチコンテンツフォーマットファイルであることを特徴とする請求項１に記載のコンテンツ権利管理装置。
【請求項３】
前記マルチコンテンツフォーマットファイルは、
ＡＤコンテンツの添付を示す第１ＡＤコンテンツビューヘッダを含むＤＣＦヘッダフィールド、及び前記ＤＲＭコンテンツを含むコンテンツフィールドとから構成される第１ＤＲＭコンテナと、
ＡＤコンテンツの添付を示す第２ＡＤコンテンツビューヘッダを含むＤＣＦヘッダフィールド、及び前記ＡＤコンテンツを含むコンテンツフィールドとから構成される第２ＤＲＭコンテナと、
を含むことを特徴とする請求項２に記載のコンテンツ権利管理装置。
【請求項４】
前記第１ＡＤコンテンツビューヘッダ及び前記第２ＡＤコンテンツビューヘッダは、ターゲットコンテンツタイプ又はＡＤコンテンツタイプであることを特徴とする請求項３に記載のコンテンツ権利管理装置。
【請求項５】
前記第１ＡＤコンテンツビューヘッダは、前記ターゲットコンテンツタイプの場合に、ＡＤコンテンツＩＤパラメータとＡＤコンテンツ管理サーバ位置情報パラメータを有することを特徴とする請求項４に記載のコンテンツ権利管理装置。
【請求項６】
前記第２ＡＤコンテンツビューヘッダは、前記ＡＤコンテンツタイプの場合に、空値（ＮＵＬＬ）に設定されたアルゴリズムＩＤパラメータを有することを特徴とする請求項４に記載のコンテンツ権利管理装置。
【請求項７】
前記ＡＤコンテンツ管理サーバは、前記ＤＲＭ装置から受信する前記認証情報及び前記許可情報に基づいて前記ＡＤコンテンツの統計情報を収集することを特徴とする請求項１に記載のコンテンツ権利管理装置。
【請求項８】
前記ＤＲＭコンテンツの権利使用方法が使用回数の場合、前記権利使用状態が前記ＤＲＭコンテンツの現在使用回数を示し、前記ＤＲＭコンテンツの権利使用方法が使用期限の場合、前記権利使用状態が現在の日付情報を示すことを特徴とする請求項１に記載のコンテンツ権利管理装置。
【請求項９】
広告コンテンツ（ＡＤコンテンツ）を著作権管理（ＤＲＭ）コンテンツに添付して一つのコンテンツを生成し、該ＤＲＭコンテンツを再生しようとするＤＲＭ装置に提供し、該ＤＲＭ装置において前記ＡＤコンテンツが再生された際には前記ＤＲＭ装置に料金の請求をしない著作権管理コンテンツの権利管理方法であって、
前記ＤＲＭ装置から受信した該ＤＲＭ装置のＩＤを含む認証情報及び前記ＤＲＭコンテンツのＩＤ、前記ＡＤコンテンツの使用回数、及び前記ＤＲＭコンテンツの権利使用方法による権利使用状態を含む許可情報に基づいてＡＤコンテンツ管理サーバで前記ＤＲＭ装置が正当な装置であるか否かを認証すると共に、前記ＤＲＭコンテンツの権利が有効であるか否かを判定し、
前記ＤＲＭ装置における前記ＤＲＭコンテンツの再生許可又は再生拒否の判定を可能にする応答メッセージを前記ＡＤコンテンツ管理サーバから前記ＤＲＭ装置に送信する、
ことを特徴とするコンテンツ権利管理方法。
【請求項１０】
前記一つのコンテンツは、ＡＤコンテンツの添付を示すＡＤコンテンツビューヘッダ、ＡＤコンテンツ、及びＤＲＭコンテンツを利用して作成したマルチコンテンツフォーマットファイルであることを特徴とする請求項９に記載のコンテンツ権利管理方法。
【請求項１１】
前記マルチコンテンツフォーマットファイルは、
ＡＤコンテンツの添付を示す第１ＡＤコンテンツビューヘッダを含むＤＣＦヘッダフィールド、及び前記ＤＲＭコンテンツを含むコンテンツフィールドとから構成される第１ＤＲＭコンテナと、
ＡＤコンテンツの添付を示す第２ＡＤコンテンツビューヘッダを含むＤＣＦヘッダフィールド、及び前記ＡＤコンテンツを含むコンテンツフィールドとから構成される第２ＤＲＭコンテナと、
を含むことを特徴とする請求項１０に記載のコンテンツ権利管理方法。
【請求項１２】
前記第１ＡＤコンテンツビューヘッダ及び前記第２ＡＤコンテンツビューヘッダは、ターゲットコンテンツタイプ又はＡＤコンテンツタイプであることを特徴とする請求項１１に記載のコンテンツ権利管理方法。
【請求項１３】
前記第１ＡＤコンテンツビューヘッダは、前記ターゲットコンテンツタイプの場合に、ＡＤコンテンツＩＤパラメータとＡＤコンテンツ管理サーバ位置情報パラメータを有することを特徴とする請求項１２に記載のコンテンツ権利管理方法。
【請求項１４】
前記第２ＡＤコンテンツビューヘッダは、前記ＡＤコンテンツタイプの場合に、空値（ＮＵＬＬ）に設定されたアルゴリズムＩＤパラメータを有することを特徴とする請求項１２に記載のコンテンツ権利管理方法。
【請求項１５】
前記ＡＤコンテンツ管理サーバは、前記ＤＲＭ装置から受信する前記認証情報及び前記許可情報に基づいて前記ＡＤコンテンツの統計情報を収集することを特徴とする請求項９に記載のコンテンツ権利管理方法。
【請求項１６】
前記ＤＲＭコンテンツの権利使用方法が使用回数の場合、前記権利使用状態が前記ＤＲＭコンテンツの現在使用回数を示し、前記ＤＲＭコンテンツの権利使用方法が使用期限の場合、前記権利使用状態が現在の日付情報を示すことを特徴とする請求項９に記載のコンテンツ権利管理方法。
【発明の詳細な説明】
【技術分野】
【０００１】
本発明はデジタル著作権管理（Digital Rights Management；以下、「ＤＲＭ」という）システムに関し、特に、ＤＲＭシステムがユーザに広告コンテンツ（advertising contents；以下、「ＡＤコンテンツ」という）が添付され、ＤＲＭ保護されたコンテンツ（DRM protected contents；以下「ＤＲＭコンテンツ」という）を提供し、ユーザが上記ＡＤコンテンツの再生により上記ＤＲＭコンテンツを無料で再生できるようにするＡＤコンテンツが添付されたＤＲＭコンテンツ権利管理装置及びコンテンツ権利管理方法に関する。
【背景技術】
【０００２】
オンラインコミュニテイ、電子商取引などを中心にインターネットビジネスが盛んになっている中で、大部分のオンラインコンテンツプロバイダは、ユーザの関心と興味を引き出すことのできる多様なコンテンツを提供している。このようなコンテンツは、テキストだけでなく、音楽、静止画像、動画像などのマルチメディアが主流をなしており、多様なマルチメディアデータは、インターネット放送、教育、ニュース、スポーツ、旅行情報、専門家のコンサルティングなど、数え切れないほど多様な分野に適用されて、仮想空間で新しいサービスを創出している。このようなデジタルコンテンツは、既存のアナログコンテンツと比較すると、生成、加工、流通、分配などの面で多くの利点を有するが、原本と同一の複製を容易に作ることができるという特徴により、デジタル創作物に対する著作権保護の問題が深刻な問題として浮上してきた。
【０００３】
ＤＲＭシステムは、デジタル資産に関する権利を安全に保護して体系的に管理するための装置であって、コンテンツの無断複製を防止することはもちろん、コンテンツが生成されて出版、流通、及び使用されるまでの過程に対する一連の保護及び管理体系を提供する。ＤＲＭシステムは、デジタルコンテンツが常に暗号化された状態で存在して、認証されたユーザだけ瞬間的に複合化して使用できるようにし、そのコンテンツが複製されても、認証されていないユーザは使用できないように制御することにより、違法複製を防止することができる。
【０００４】
このようなＤＲＭシステムは、デジタルコンテンツに対する持続的な保護が可能であり、様々な使用規則を適用する。ＤＲＭ技術が適用されたコンテンツであっても、既存のデジタル情報の流通、配布、及び利用方式をそのまま受け入れなければならず、ＤＲＭの技術的保護措置がユーザに不便を与えてはならない。
【発明の開示】
【発明が解決しようとする課題】
【０００５】
一般に、ユーザは、ますます多様なコンテンツが提供されることを希望し、低コスト又は無料でＤＲＭコンテンツが提供されることを希望する。従って、一般的なＤＲＭシステムにおいては、ＤＲＭコンテンツを無料でユーザに提供できる方法が要求される。
【０００６】
本発明は、このような従来技術の要求を満たすためになされたもので、ＤＲＭシステムがユーザにＡＤコンテンツが添付されたＤＲＭコンテンツを提供し、ユーザがＡＤコンテンツの再生により上記ＤＲＭコンテンツを無料で使用することのできるＡＤコンテンツが添付されたＤＲＭコンテンツ権利管理装置及びコンテンツ権利管理方法を提供することを目的とする。
【課題を解決するための手段】
【０００９】
上記目的を達成するために、本発明は、広告コンテンツ（ＡＤコンテンツ）を著作権管理（ＤＲＭ）コンテンツに添付して一つのコンテンツを生成し、該ＤＲＭコンテンツを再生しようとするＤＲＭ装置に提供し、該ＤＲＭ装置において前記ＡＤコンテンツが再生された際には前記ＤＲＭ装置に料金を請求しない著作権管理コンテンツの権利を管理するコンテンツ権利管理装置であって、前記ＤＲＭ装置から受信した該ＤＲＭ装置のＩＤを含む認証情報及び前記ＤＲＭコンテンツのＩＤ、前記ＡＤコンテンツの使用回数、及び前記ＤＲＭコンテンツの権利使用方法による権利使用状態を含む許可情報に基づいて前記ＤＲＭ装置が正当な装置であるか否かを認証すると共に、前記ＤＲＭコンテンツの権利が有効であるか否かを判定した後、前記ＤＲＭ装置における前記ＤＲＭコンテンツの再生許可又は再生拒否の判定を可能にする応答メッセージを前記ＤＲＭ装置に送信するＡＤコンテンツ管理サーバを備えたコンテンツ権利管理装置を提供する。
【００１０】
また、上記目的を達成するために、本発明は、広告コンテンツ（ＡＤコンテンツ）を著作権管理（ＤＲＭ）コンテンツに添付して一つのコンテンツを生成し、該ＤＲＭコンテンツを再生しようとするＤＲＭ装置に提供し、該ＤＲＭ装置において前記ＡＤコンテンツが再生された際には前記ＤＲＭ装置に料金の請求をしない著作権管理コンテンツの権利管理方法であって、前記ＤＲＭ装置から受信した該ＤＲＭ装置のＩＤを含む認証情報及び前記ＤＲＭコンテンツのＩＤ、前記ＡＤコンテンツの使用回数、及び前記ＤＲＭコンテンツの権利使用方法による権利使用状態を含む許可情報に基づいてＡＤコンテンツ管理サーバで前記ＤＲＭ装置が正当な装置であるか否かを認証すると共に、前記ＤＲＭコンテンツの権利が有効であるか否かを判定し、前記ＤＲＭ装置における前記ＤＲＭコンテンツの再生許可又は再生拒否の判定を可能にする応答メッセージを前記ＡＤコンテンツ管理サーバから前記ＤＲＭ装置に送信するコンテンツ権利管理方法を提供する。
【発明の効果】
【００１５】
本発明は、ＡＤコンテンツが添付されたＤＲＭコンテンツを再生する場合、ＤＲＭ装置がＡＤコンテンツを再生した後、この再生されたＡＤコンテンツによるＤＲＭコンテンツの権利が有効であるか否かを判定するために、ＡＤコンテンツ管理サーバにＤＲＭ装置のＩＤを含む認証情報及びＤＲＭコンテンツのＩＤ、ＡＤコンテンツの使用回数、及びＤＲＭコンテンツの権利使用方法による権利使用状態を含む許可情報を報告することにより、上記ＡＤコンテンツの添付されたＤＲＭコンテンツの権利が有効であるか否かを上記ＤＲＭ装置と上記ＡＤコンテンツ管理サーバがダブルチェックできて、上記ＤＲＭコンテンツの権利を正確に管理でき、さらに、上記認証情報及び許可情報を収集して上記ＡＤコンテンツに関する統計情報を生成できるという効果がある。
【発明を実施するための最良の形態】
【００１７】
本発明は、ＡＤコンテンツをＤＲＭコンテンツに添付して一つのコンテンツを生成し、該ＤＲＭコンテンツを再生しようとするＤＲＭ装置に提供し、該ＤＲＭ装置においてＡＤコンテンツが再生された際にはＤＲＭ装置に料金を請求しない著作権管理コンテンツの権利を管理する装置及び方法を提案する。
【００１８】
以下、添付図面を参照して本発明の好ましい実施形態について説明する。
図１は、ＡＤコンテンツが添付されたＤＲＭコンテンツを処理するためのＤＲＭシステムの一構成例を示す図である。
図１に示すように、ＡＤコンテンツが添付されたＤＲＭコンテンツを処理するためのＤＲＭシステムは、ＡＤコンテンツをＤＲＭコンテンツに添付して一つのコンテンツを生成し、当該コンテンツに関する権利を管理する本発明のコンテンツ権利管理装置（Rights Issuer）（以下、「ＲＩ」という）３０と、上記ＡＤコンテンツが添付されたＤＲＭコンテンツを取得してＡＤコンテンツを再生した後、上記ＤＲＭコンテンツを使用するＤＲＭ装置１０とを含む。
【００１９】
上記ＤＲＭシステムは、ＡＤコンテンツ及びＤＲＭコンテンツを提供するコンテンツ提供サーバ（Contents Issuer）（以下、「ＣＩ」という）４０と、上記ＡＤコンテンツが添付されたＤＲＭコンテンツの無料使用方法の種類を提供するプレゼンテーションサーバ（Presentation Server）（以下、「ＰＳ」という）２０とをさらに含む。
【００２０】
ＣＩ４０は、広告主又はスポンサーを含む。ＲＩ３０は、ＤＲＭ装置１０から受信した認証情報及び許可情報に基づいてＤＲＭ装置１０が正当な装置であるか否かを認証すると共に、ＤＲＭコンテンツの権利が有効であるか否かを判定した後、ＤＲＭ装置１０におけるＤＲＭコンテンツの再生許可又は再生拒否の判定を可能にする応答メッセージをＤＲＭ装置１０に送信して、上記ＡＤコンテンツが添付されたＤＲＭコンテンツの権利を管理し、ＡＤコンテンツ使用状態情報の報告によってＡＤコンテンツの統計情報を収集するＡＤコンテンツ管理サーバ（adview-report-url server）３１を含む。ＡＤコンテンツ管理サーバ３１は、広告主又はスポンサーなどにより運営される。
【００２１】
ＤＲＭ装置１０は、図２に示すように、ＡＤコンテンツが添付されたＤＲＭコンテンツをダウンロードするダウンロードエージェント１１と、上記ＤＲＭコンテンツに上記ＡＤコンテンツが添付されているか否かを判定してＤＲＭコンテンツを複合化する構文解析部１２と、上記復号化されたＤＲＭコンテンツ及びＡＤコンテンツをＤＲＭアプリケーションプログラム１５に接続し、ＤＲＭコンテンツの権利をＡＤコンテンツの使用によって管理するＤＲＭエージェント１３と、ＤＲＭコンテンツの権利状態情報を管理するためのデータベース（以下、「ＤＢ」という）１４と、ＤＲＭコンテンツ及びＡＤコンテンツを再生するためのＤＲＭアプリケーションプログラム１５と、を含む。上記ＤＲＭ装置１０は、ＰＤＡ、移動通信端末機などの移動端末機でもよい。
【００２２】
まず、本発明によるＲＩ３０がＡＤコンテンツを挿入してＤＲＭコンテンツを生成する方法について説明する。
【００２３】
本発明は、ＤＲＭコンテンツがＡＤコンテンツを含むことを示すＡＤコンテンツビューヘッダをＤＣＦ（DRM Contents Format）規格（specification）のＤＣＦへッダに追加する。一般に、上記ＤＣＦヘッダは、共通ヘッダ（common header）を有し、共通ヘッダはテキストヘッダ（textual header）を有し、テキストヘッダに上記ＡＤコンテンツビューヘッダが追加される。ＡＤコンテンツビューヘッダを含むＤＣＦとは、ＤＲＭ装置が実際に使用しようとするＤＲＭコンテンツのようなターゲットコンテンツと、このターゲットコンテンツを無料で使用するために実際に再生しなければならないコンテンツのようなＡＤコンテンツの二つのコンテンツを含むマルチコンテンツＤＣＦ（以下「マルチパートＤＣＦ」という）を意味する。従って、ＡＤコンテンツビューヘッダを含むマルチパートＤＣＦのコンテンツは、ＤＲＭにより保護すべき価値のあるコンテンツタイプのようなターゲットコンテンツタイプと、広告のために使用されるコンテンツタイプのようなＡＤコンテンツタイプとを有し、これらの二つのコンテンツは一つのマルチパートＤＣＦ内に共に存在しなければならない。
【００２４】
図３は、本発明によるＡＤコンテンツが添付されたマルチパートＤＣＦファイルの一構成例を示す図である。
本発明によるＡＤコンテンツが添付されたマルチパートＤＣＦファイルは、ヘッダと、ターゲットコンテンツ（ＤＲＭコンテンツ）用の第１ＤＲＭコンテナと、ターゲットコンテンツを無料で使用するために再生しなければならないＡＤコンテンツ用の第２ＤＲＭコンテナとを含む。上記第１ＤＲＭコンテナは、ターゲットコンテンツとターゲットコンテンツＤＣＦヘッダとを含み、上記第２ＤＲＭコンテナは、ＡＤコンテンツとＡＤコンテンツＤＣＦヘッダとを含む。上記第１ＤＲＭコンテナのターゲットコンテンツＤＣＦヘッダは、ＡＤコンテンツの添付を示す第１ＡＤコンテンツビューヘッダを含み、この第１ＡＤコンテンツビューヘッダは、ターゲットコンテンツタイプパラメータを有する。また、上記２ＤＲＭコンテナのＡＤコンテンツＤＣＦヘッダは、ＡＤコンテンツの添付を示す第２ＡＤコンテンツビューヘッダを含み、この第２ＡＤコンテンツビューヘッダは、ＡＤコンテンツタイプパラメータを有する。
【００２５】
ＲＩ３０は、ユーザにより選択されたＡＤコンテンツ及びＤＲＭコンテンツに基づいて、上記マルチパートＤＣＦファイルを生成する。すなわち、ＲＩ３０は、マルチパートＤＣＦファイルの第１ＤＲＭコンテナのＤＣＦヘッダフィールドに上記第１ＡＤコンテンツビューヘッダを追加し、第１ＤＲＭコンテナのコンテンツフィールドに上記ＤＲＭコンテンツを記録し、マルチパートＤＣＦファイルの第２ＤＲＭコンテナのＤＣＦヘッダフィールドに上記第２ＡＤコンテンツビューヘッダを追加し、第２ＤＲＭコンテナのコンテンツフィールドに上記ＡＤコンテンツを記録する。
【００２６】
さらに、ＲＩ３０は、第１ＤＲＭコンテナのＤＣＦヘッダフィールドに含まれている第１ＡＤコンテンツビューヘッダにターゲットコンテンツタイプを追加し、第２ＤＲＭコンテナのＤＣＦヘッダフィールドに含まれている第２ＡＤコンテンツビューヘッダにＡＤコンテンツタイプを追加する。
【００２７】
そして、ＲＩ３０は、上記ターゲットコンテンツタイプに対して、ＡＤコンテンツＩＤ（adview-element-url）パラメータとＡＤコンテンツ管理サーバ位置情報（adview-report-url）パラメータとを指定し、上記ＡＤコンテンツタイプに対して、アルゴリズムＩＤパラメータと暗号化方法ヘッダとを空値（ＮＵＬＬ）に設定する。
上記ＡＤコンテンツＩＤパラメータは、特定ＩＤ値を有し、広告のために再生されるＡＤコンテンツのＩＤを示す。
【００２８】
上記ＡＤコンテンツ管理サーバ位置情報パラメータは、ＤＲＭ装置１０がＡＤコンテンツを再生した後、ＡＤコンテンツ使用状態情報を報告するために、ＤＲＭ装置１０の認証情報及び許可情報を送信するためのサーバの位置に関する情報（Uniform Resource Locator；ＵＲＬ）を示す。上記アルゴリズムＩＤパラメータ及び暗号化方法ヘッダが空値（ＮＵＬＬ）に設定されることにより、上記ＡＤコンテンツタイプに該当するＡＤコンテンツは暗号化されていないことを示す。
【００２９】
このような方法でＡＤコンテンツ及びＤＲＭコンテンツをマルチパートＤＣＦファイルの該当ＤＲＭコンテナにそれぞれ保存することにより、ＲＩ３０はマルチパートＤＣＦファイルを生成する。
【００３０】
以下、ＤＲＭ装置１０が、ＡＤコンテンツが添付されたＤＲＭコンテンツを含むマルチパートＤＣＦをダウンロードし、このマルチパートＤＣＦの複合化により、マルチパートＤＣＦがＡＤコンテンツの添付されたＤＲＭコンテンツを含むか否かを判定し、上記複合化されたマルチパートＤＣＦファイルに含まれているＡＤコンテンツを再生してＤＲＭコンテンツを無料で使用する方法について説明する。
【００３１】
図４は、ＡＤコンテンツが添付されたＤＲＭコンテンツのダウンロード方法の一例を示す図である。
ＤＲＭ装置１０は、ＰＳ２０のウェブサイトに接続して（Ｓ１１）、一つのＤＲＭコンテンツを選択する（Ｓ１２）。すると、ＰＳ２０は、選択されたＤＲＭコンテンツの権利使用方法及びコストの種類を表示する（Ｓ１３）。この権利使用方法の種類は、使用回数（count）、使用期間（interval）、使用期限（date）を含み、上記コストの種類は、広告視聴後無料（free with AD）を含む。
【００３２】
ＤＲＭ装置１０が「広告視聴後無料」を選択すると（Ｓ１４）、ＰＳ２０は、広告の種類（例えば、スポーツウェア、清涼飲料など）、各広告に関する広告情報（例えば、コンテンツのサイズ、視聴時間など）、各広告の選択による権利使用方法（使用回数、使用期間、使用期限など）を表示する（Ｓ１５）。ＤＲＭ装置１０は、一つの広告とそれによる権利使用方法を選択する（Ｓ１６）。ＰＳ２０は、選択された権利、すなわち、ＡＤコンテンツが添付されたＤＲＭコンテンツの権利に関する情報をＲＩ３０に通知する（Ｓ１７）。
【００３３】
ＲＩ３０は、選択された権利に関するコンテンツをＣＩ４０に要求し（Ｓ１８）、ＣＩ４０は、要求されたコンテンツ、すなわち、ＡＤコンテンツ及びＤＲＭコンテンツをＲＩ３０に送信する（Ｓ１９）。そうすると、ＲＩ３０は、受信したＡＤコンテンツ及びＤＲＭコンテンツを利用してマルチパートＤＣＦファイルを生成する（Ｓ２０）。マルチパートＤＣＦファイル生成方法については上で説明したので、ここでは省略する。
【００３４】
ＲＩ３０は、生成したマルチパートＤＣＦファイルをＤＲＭ装置１０に送信する（Ｓ２１）。コンテンツと権利とが分離されて伝達された場合、図４に示すように、ＤＲＭ装置１０は、受信したマルチパートＤＣＦファイルに関する権利をＲＩ３０に要求する（Ｓ２２）。ＲＩ３０は、ダウンロード記述子（Download Descriptor；ＤＤ）、及び要求された権利の提供を受けるように案内する案内情報であるＲＯＡＰ（Right Object Acquisition Protocol）トリガをＤＲＭ装置１０に送信する（Ｓ２３）。そうすると、ＤＲＭ装置１０は、一般的な２パスＲＯＡＰの手順に従って、ＲＩ３０から上記要求した権利の提供を受ける。すなわち、ＤＲＭ装置１０がＲＩ３０に権利要求メッセージを送信すると、ＲＩ３０は、ＤＲＭ装置１０を認証した後、上記要求された権利をＤＲＭ装置１０に提供する。
【００３５】
ＲＩ３０は、上記要求された権利をＤＲＭ装置１０に提供したときには、ＤＲＭ装置１０に上記権利に対する料金を請求しない。この場合、ＲＩ３０は、例えば、上記段階Ｓ２０でマルチパートＤＣＦを生成した後、ＣＩ４０又は広告主（若しくは、スポンサー）に上記権利に対するコスト（料金）を請求することができる。
【００３６】
一方、図４には示されていないが、コンテンツと権利が共に伝達された場合、ＤＲＭ装置１０は、選択したＤＲＭコンテンツに対する権利を別途、ＲＩ３０に要求する必要がない。特に、ＡＤコンテンツが添付されたＤＲＭコンテンツのダウンロード動作は、ＤＲＭ装置１０のダウンロードエージェント１１により実行される。
【００３７】
次に、本発明によるＤＲＭ装置１０がダウンロードしたＡＤコンテンツの添付されたＤＲＭコンテンツの復号化方法について説明する。この複合化動作は、ＤＲＭ装置１０の構文解析部１２により実行される。
【００３８】
図５は、ＤＲＭ装置がＡＤコンテンツの添付されたＤＲＭコンテンツを複合化する方法の一例を示す図である。
ＤＲＭ装置１０は、ＲＩ３０からダウンロレドしたマルチパートＤＣＦファイルの各ＤＲＭコンテナのＤＣＦヘッダフィールドにＡＤコンテンツビューヘッダが存在するか否かを判定する（Ｓ３１）。ＤＲＭ装置１０は、上記ＡＤコンテンツビューヘッダが存在しないと判定したときには、一般的な復号化手順を行う（Ｓ３２）。
【００３９】
これに対し、ＤＲＭ装置１０は、上記各ＤＲＭコンテナのＤＣＦヘッダフィールドにＡＤコンテンツビューヘッダが存在すると判定したときには、各ＡＤコンテンツビューヘッダがターゲットコンテンツタイプ又はＡＤコンテンツタイプを有するか否かを判定する（Ｓ３３）。すなわち、ＤＲＭ装置１０は、上記マルチパートＤＣＦファイルの第１ＤＲＭコンテナのＤＣＦヘッダフィールドに、第１ＡＤコンテンツビューヘッダ用のターゲットコンテンツタイプが含まれているか否か、また、第２ＤＲＭコンテナのＤＣＦヘッダフィールドに、第２ＡＤコンテンツビューヘッダ用のＡＤコンテンツタイプが含まれているか否かを判定する。ＤＲＭ装置１０は、各ＡＤコンテンツビューヘッダがターゲットコンテンツタイプ又はＡＤコンテンツタイプを有しないと判定したときには、ユーザにエラーを通知する（Ｓ３４）。
【００４０】
一方、各ＡＤコンテンツビューヘッダがターゲットコンテンツタイプとＡＤコンテンツタイプとを有していると判定したときには、すなわち、上記第１ＡＤコンテンツビューヘッダがターゲットコンテンツタイプを有し、上記第２ＡＤコンテンツビューヘッダがＡＤコンテンツタイプを有するときには、ＤＲＭ装置１０は、上記ターゲットコンテンツタイプとしてＡＤコンテンツＩＤ（adview-element-url）パラメータとＡＤコンテンツ管理サーバ位置情報（adview-report-url）パラメータが設定されているか否かを判定する（Ｓ３５）。ＤＲＭ装置１０は、上記ターゲットコンテンツタイプに対してＡＤコンテンツＩＤ（adview-element-url）パラメータとＡＤコンテンツ管理サーバ位置情報（adview-report-url）パラメータとが設定されていないと判定したときには、ユーザにエラーを通知する（Ｓ３４）。
【００４１】
一方、上記ターゲットコンテンツタイプに対してＡＤコンテンツＩＤ（adview-element-url）パラメータとＡＤコンテンツ管理サーバ位置情報（adview-report-url）パラメータが設定されている場合には、ＤＲＭ装置１０は、上記ＡＤコンテンツタイプに対するアルゴリズムＩＤパラメータが空値（ＮＵＬＬ）に設定されているか否かを判定する（Ｓ３６）。ＤＲＭ装置１０は、上記ＡＤコンテンツタイプに対するアルゴリズムＩＤパラメータが空値（ＮＵＬＬ）に設定されていないと判定したときには、ユーザにエラーを通知する（Ｓ３４）。
【００４２】
これに対し、前記ＡＤコンテンツタイプに対するアルゴリズムＩＤパラメータが空値（ＮＵＬＬ）に設定されていると判定したときには、ＤＲＭ装置１０は、上記ダウンロードしたマルチパートＤＣＦファイルをＤＢ１４に保存する（Ｓ３７）。
【００４３】
次に、ＤＲＭ装置１０が復号化されたＡＤコンテンツの添付されたＤＲＭコンテンツを再生する方法について説明する。
図６は、ＤＲＭ装置がＡＤコンテンツの添付されたＤＲＭコンテンツを再生する方法の一例を示す図である。
ＤＲＭ装置１０のユーザは、再生しようとするＤＲＭコンテンツのリストのような表示されたＵＩ（user Interface）リストのうちから、一つのＤＲＭコンテンツの再生を試みる（Ｓ４１）。すると、ＤＲＭ装置１０は、再生が試みられたＤＲＭコンテンツのＤＣＦがＡＤコンテンツビューヘッダを有するか否かを判定する（Ｓ４２）。ＤＲＭ装置１０は、上記ＤＣＦがＡＤコンテンツビューヘッダを有していないと判定したときには、一般的な再生手順を行う（Ｓ４３）。
【００４４】
これに対し、上記ＤＣＦがＡＤコンテンツビューヘッダを有していると判定したときには、ＤＲＭ装置１０は、上記ＤＲＭコンテンツの権利状態がアクティブ（有効）状態であるか否かを判定する（Ｓ４４）。ＤＲＭ装置１０は、上記ＤＲＭコンテンツの権利状態がアクティブ（有効）状態であると判定したときには、ユーザにエラーメッセージを通知する（Ｓ４５）。
【００４５】
これに対し、ＤＲＭ装置１０は、上記ＤＲＭコンテンツの権利状態がアクティブ（有効）状態でないと判定したときには、上記ＤＲＭコンテンツの権利自体が有効であるか否かを判定する（Ｓ４６）。すなわち、ＤＲＭ装置１０は、上記権利が消滅したか否かを判定する。例えば、上記権利の使用期限が満了したか否かを判定する。ＤＲＭ装置１０は、その判定の結果、上記権利が消滅していると判定したときには、ユーザにエラーを通知する（Ｓ４５）。
【００４６】
一方、ＤＲＭ装置１０は、上記権利が消滅していないと判定したときには、上記ＤＣＦからＡＤコンテンツＩＤを取り出してそのＡＤコンテンツを再生する（Ｓ４７）。
【００４７】
その後、ＤＲＭ装置１０は、上記ＤＣＦに含まれているＡＤコンテンツ管理サーバ位置情報を利用してＡＤコンテンツ管理サーバ３１を確認し、本発明によるＲＩ３０のＡＤコンテンツ管理サーバ３１に上記ＡＤコンテンツ使用状態情報を報告するために、認証情報及び許可情報を送信する（Ｓ４８）。以下、本発明によるコンテンツ権利管理方法について説明する。上記認証情報は、ＤＲＭ装置１０のＩＤを含み、ＤＲＭ装置１０が正当な装置であるか否かの認証のためＲＩ３０において使用される。また、上記許可情報は、上記ＤＲＭコンテンツの権利が有効であるか否かの判定のために使用され、ＤＲＭコンテンツのＩＤ及び上記ＡＤコンテンツの使用回数を含み、さらに、ＤＲＭコンテンツの権利使用方法による権利使用状態を含む。ここで、ＤＲＭコンテンツの権利使用方法は、ＤＲＭ装置１０がＰＳ２０に接続して選択したＤＲＭコンテンツの権利使用方法と一致する。例えば、上記ＤＲＭコンテンツの権利使用方法が使用回数の場合、上記権利使用状態は上記ＤＲＭコンテンツの現在使用回数を示し、上記ＤＲＭコンテンツの権利使用方法が使用期限の場合、上記権利使用状態は現在の日付情報を示す。
【００４８】
ＡＤコンテンツ管理サーバ３１は、ＤＲＭ装置１０から報告された認証情報及び許可情報に基づいて、ＤＲＭ装置１０が正当な装置であるか否かを判定し、上記ＤＲＭコンテンツＩＤに該当するＤＲＭコンテンツを確認し、このＤＲＭコンテンツの権利使用方法に応じて、ＤＲＭ装置１０が上記ＤＲＭコンテンツの権利を正当に使用しているか否かを判定する。
【００４９】
また、ＡＤコンテンツ管理サーバ３１は、判定した情報に基づいて応答メッセージを生成し、この応答メッセージをＤＲＭ装置１０に送信する。ここで、ＡＤコンテンツ管理サーバ３１が、ＤＲＭ装置１０から送信された認証情報及び許可情報に基づいて、ＤＲＭ装置１０により再生が試みられているＤＲＭコンテンツに関する権利が有効であるか否かを判定することは、ＡＤコンテンツを利用した権利使用のダブルチェックといえ、報告された上記認証情報及び許可情報に基づいて広告主又はスポンサーがＡＤコンテンツに関する統計情報を生成できるようにする。この統計情報は、例えば、どれほど多くのユーザが広告を見ているか、どれほど頻繁に広告を見ているかなどに関する統計データを含む。
【００５０】
その後、ＡＤコンテンツ管理サーバ３１から応答メッセージが受信されると（Ｓ４９）、ＤＲＭ装置１０は、上記受信された応答メッセージに基づいて上記ＤＲＭコンテンツの権利が有効であるか否かを判定する（Ｓ５０）。ＤＲＭ装置１０は、上記ＤＲＭコンテンツの権利が有効でない場合には、上記ＤＲＭコンテンツの権利状態を無効状態に設定して再生手順を終了する（Ｓ５１）。
【００５１】
一方、上記ＤＲＭコンテンツの権利が有効である場合には、ＤＲＭ装置１０は、上記ＤＲＭコンテンツの権利状態を有効（アクティブ）状態に設定して（Ｓ５２）、上記ＤＲＭコンテンツを再生する。そして、上記ＤＲＭコンテンツの再生が開始されると、上記権利状態を無効状態に変更する（Ｓ５３）。
【００５２】
ＤＲＭ装置は、広告情報を有するデジタルコンテンツをダウンロードするダウンロードエージェントと、上記ダウンロードしたデジタルコンテンツが広告情報を含むか否かを判定し、上記ダウンロードしたデジタルコンテンツを複合化する構文解析部と、認証されたユーザが上記広告情報を見た後にのみ、上記ダウンロードしたデジタルコンテンツを再生するアプリケーションプログラムとを含む。
【００５３】
また、ＤＲＭ装置は、上記デジタルコンテンツ及び上記広告情報を上記アプリケーションプログラムに接続し、上記デジタルコンテンツを再生する前に上記認証されたユーザが見る広告情報を要求して、上記デジタルコンテンツの違法複製を防止するＤＲＭエージェントをさらに含む。
【００５４】
上記認証されたユーザには、上記広告情報を見る代価として上記デジタルコンテンツを無料で再生することが許可される。また、上記広告情報を提供した広告主は、認証されたユーザがダウンロードする上記デジタルコンテンツに上記広告情報を添付するために、上記デジタルコンテンツのプロバイダに料金を支払う。
【００５５】
以上、本発明は、図面に示す実施形態を参照して説明したがこれは例示にすぎず、本発明の属する技術の分野における通常の知識を有する者であれば、これから多様な変形及び均等な他の実施形態が可能であることを理解するであろう。従って、本発明の権利範囲は、添付した特許請求の範囲の技術的思想により決定されるべきである。
【図面の簡単な説明】
【００５６】
【図１】本発明によるコンテンツ権利管理装置を含む、ＡＤコンテンツが添付されたＤＲＭコンテンツを処理するためのＤＲＭシステムの一構成例を示す図である。
【図２】ＤＲＭ装置の構成を示すブロック図である。
【図３】ＡＤコンテンツが添付されたマルチパートＤＣＦファイルの一構成例を示す図である。
【図４】ＡＤコンテンツが添付されたＤＲＭコンテンツのダウンロード方法の一例を示す図である。
【図５】ＤＲＭ装置がＡＤコンテンツの添付されたＤＲＭコンテンツを複合化する方法の一例を示す図である。
【図６】本発明によるコンテンツ権利管理方法によって管理されて、ＤＲＭ装置がＡＤコンテンツの添付されたＤＲＭコンテンツを再生する方法の一例を示す図である。
【符号の説明】
【００５７】
１０…ＤＲＭ装置
１１…ダウンロードエージェント
１２…構文解析部
１３…ＤＲＭエージェント
１４…データベース（ＤＢ）
１５…ＤＲＭアプリケーションプログラム
２０…プレゼンテーションサーバ（ＰＳ）
３０…コンテンツ権利管理装置（ＲＩ）
３１…ＡＤコンテンツ管理サーバ
４０…コンテンツ提供サーバ（ＣＩ）
【図１】
0004861331.tif 000002
【図２】
0004861331.tif 000003
【図３】
0004861331.tif 000004
【図４】
0004861331.tif 000005
【図５】
0004861331.tif 000006
【図６】
0004861331.tif 000007